(57)【要約】  手動のＣＰＲを与える救助者が使用するための心肺蘇生（ＣＰＲ）補助装置４００が開示される。この装置は、救助者の手の位置に関係なく、救助者に視覚的補助が与えられることができるように、この装置の周縁部の周りに配される視覚的インジケータ４３０、４１８、４２０、４２２を持つ。検知したＣＰＲの精度に改善傾向が見られない場合、段々と切迫した情報が与えられるように、ＣＰＲ補助装置は、視覚的補助を与える段階的な方法も含んでいる。
2015500728.tif 000002
【特許請求の範囲】
【請求項１】
基板、
前記基板に取り付けられる、及び心肺蘇生（ＣＰＲ）の胸部圧迫に関連する運動を検出するように動作可能である加速度計、
前記基板に取り付けられる、及び前記ＣＰＲの胸部圧迫に関連する力を検出するように動作可能である力センサ、
前記基板に取り付けられる、並びに前記加速度計及び前記力センサと電気通信して配される制御器、
前記基板の上に配される、及びその周縁部の周りにエッジ面を持つ視覚的出力層であり、前記制御器により制御される第１の色を持つライトを持つ視覚的出力層、並びに
前記視覚的出力層の上に配される上蓋
を有する心肺蘇生（ＣＰＲ）補助装置において、前記ライトは、ＣＰＲの使用において補助するために、前記視覚的出力層のエッジ面を照明するように動作可能である心肺蘇生補助装置。
【請求項２】
前記ライトは、前記視覚的出力層の周縁部の周りに配される複数のＬＥＤを有する、請求項１に記載の心肺蘇生補助装置。
【請求項３】
前記制御器は、所望するＣＰＲの圧迫速度で前記ライトを点滅させるように動作可能である、請求項２に記載の心肺蘇生補助装置。
【請求項４】
第２の色を持ち、及び前記視覚的出力層の周縁部の周りに配される第２の複数のＬＥＤをさらに有する請求項３に記載の心肺蘇生補助装置において、前記所望する速度が検知したＣＰＲの圧迫速度と既定した量だけ異なる場合、前記制御器は、所望するＣＰＲの圧迫速度で前記第２の複数のＬＥＤを点滅するように動作可能である、心肺蘇生補助装置。
【請求項５】
前記制御器は、所望するＣＰＲの圧迫速度に対応するサイクルを持つパターンで、前記複数のＬＥＤの各々を連続して点滅するように動作可能である、請求項２に記載の心肺蘇生補助装置。
【請求項６】
第２の色を持ち、及び前記視覚的出力層の周縁部の周りに配される第２の複数のＬＥＤをさらに有する請求項５に記載の心肺蘇生補助装置において、前記所望する速度が検知したＣＰＲの圧迫速度と既定した量だけ異なる場合、前記制御器は、所望するＣＰＲの圧迫速度に対応するサイクルを持つパターンで、前記第２の複数のＬＥＤの各々を連続して点滅するように動作可能である、心肺蘇生補助装置。
【請求項７】
第３の色を持ち、及び前記視覚的出力層の周縁部の周りに配される第３の複数のＬＥＤをさらに有する請求項２に記載の心肺蘇生補助装置において、前記制御器は、所望する換気の速度で前記第３の複数のＬＥＤを点滅するように動作可能である、心肺蘇生補助装置。
【請求項８】
第２の色を持つ第２のライトをさらに有する請求項１に記載の心肺蘇生補助装置において、前記制御器は、ＣＰＲの圧迫状況を感知して、この感知した状況に従って前記ライト及び前記第２のライトを選択的に制御する、心肺蘇生補助装置。
【請求項９】
前記上蓋に触覚的なフィードバックを与えるように動作可能である振動要素をさらに有する請求項８に記載の心肺蘇生補助装置において、前記制御器は、前記感知した状況に従って前記振動要素を選択的に制御する、心肺蘇生補助装置。
【請求項１０】
前記視覚的出力層の反対側にある前記基板の面に配される接着剤層であり、前記装置を患者の胸部に付着するように動作可能である接着剤層、及び
使用する前は前記接着剤層を保護するために、前記接着剤層の上に配される取り外し可能な剥離ライナー
をさらに有する請求項１に記載の心肺蘇生補助装置。
【請求項１１】
前記制御器と電気通信する配備センサをさらに有する請求項１０に記載の心肺蘇生補助装置において、前記取り外し可能な剥離ライナーは、前記配備センサと電気通信して配される導電性ストリップをさらに有し、並びに前記配備センサ及び前記導電性ストリップが切り離されるとき、前記制御器は前記装置を稼働させる、心肺蘇生補助装置。
【請求項１２】
前記剥離ライナーは、換気バリアを構成する請求項１１に記載の心肺蘇生補助装置。
【請求項１３】
前記剥離ライナー上に配されるＣＰＲ補助の図形指示をさらに有する、請求項１２に記載の心肺蘇生補助装置。
【請求項１４】
前記制御器と制御可能で通信する前記基板上に配されるワイヤレス送信機であり、Bluetooth（登録商標）送信機又はWi-Fi送信機の何れか一方をさらに有するワイヤレス送信機をさらに有する、請求項１に記載の心肺蘇生補助装置。
【請求項１５】
患者に心肺蘇生（ＣＰＲ）を施す際に補助を提供するための方法において、
ＣＰＲ補助装置の周縁部の周りに配される第１の色の複数のライト、及び感知したＣＰＲの状況に従って前記複数のライトを制御するように動作可能である制御器を持つＣＰＲ補助装置を提供するステップ、
前記患者に前記ＣＰＲ補助装置を貼り付けるステップ、並びに
前記感知したＣＰＲの状況に依存するパターンで前記複数のライトを照明するステップ
を有する方法。
【請求項１６】
前記ＣＰＲ補助装置は、第２の色の第２の複数のライトを持ち、及び第２の感知したＣＰＲの状況に依存するパターンで前記第２の複数のライトを照明するステップをさらに有する、請求項１５に記載の方法。
【請求項１７】
前記ＣＰＲ補助装置は、振動要素を持ち、及び第３の感知したＣＰＲの状況に依存して前記振動要素を稼働させるステップをさらに有する、請求項１６に記載の方法。
【請求項１８】
前記貼り付けるステップの前に、前記ＣＰＲ補助装置上の接着剤層から剥離ライナーを取り除くステップ、及び
ＣＰＲ換気バリアとして使用するために、前記剥離ライナーを患者の口に配備するステップ
をさらに有する請求項１５に記載の方法。
【請求項１９】
前記ＣＰＲ補助装置は、第３の色の第３の複数のライトを持ち、及び所望する換気の速度で前記第３の複数のライトを照明するステップをさらに有する、請求項１６に記載の方法。
【請求項２０】
前記貼り付けるステップの前に、前記ＣＰＲ補助装置上の接着剤層から剥離ライナーを取り除くステップ、
前記接着剤層から前記剥離ライナーが取り除かれたことを感知するステップ、及び
前記感知するステップに基づいて前記ＣＰＲ補助装置を稼働させるステップ
をさらに有する請求項１５に記載の方法。
【発明の詳細な説明】
【技術分野】
【０００１】
本発明は、一般的に医療装置に関する、特に心肺蘇生（ＣＰＲ）補助及び訓練装置に関する。
【背景技術】
【０００２】
心停止は、患者の心臓が生命を維持するための血流を供給していないという命に関わる医療状態である。ＣＰＲが心停止をしている患者に施され、患者に血液を流させる。救助者は、肺を酸素で満たすために患者の口内に息を吹き込むことを交えながら、患者の胸部を圧迫することによりＣＰＲを施す。ＣＰＲは、例えば除細動治療のような他の治療形式と組み合わされることもできる。除細動のショックが患者に与えられる時間と時間との間に、血流を促すためにＣＰＲが施される。
【０００３】
研究では、質の高いＣＰＲを施すことにより、患者の生存見込みは向上すると示唆している。ＣＰＲの品質は、胸部圧迫の質に直接関係している。その質の一部は、圧迫の深さ、速度及び各圧迫が下から上への動きの間は完全に解放されているかにより決められる。良好な胸部圧迫は一般に、毎分約１００回圧迫する速度で大人の胸部を４ｃｍだけ押し下げる、及び子供は約２．５ｃｍだけ押し下げる圧迫である。ＣＰＲが所望する圧迫の深さを述べている当技術分野で周知のガイドラインが多く存在し、例えばGuidelines 2000 for Cardiopulmonary Resuscitation and Emergency Cardiovascular Care, 102 Circulation Supp. I (2000)を参照されたい。
【０００４】
十分な深さの胸部圧迫を施すことを学ぶことは、従来よりＣＰＲの訓練の一部である。例えば、人体模型を含む練習環境において、圧迫の深さは一般に測定され、当事者に情報がフィードバックされる。人体模型で胸部圧迫を練習することにより、当事者は、実際の人間の患者において同じ運動パターンを繰り返すことが可能であると思われている。しかしながら、研究では、胸部圧迫を施す運動パターンを繰り返す能力は、訓練を受けた直後でさえ未熟であるのに、驚くことではないが時間の経過と共に悪くなると示唆している。加えて、人間の生体構造は人ごとに異なるので、患者は胸部圧迫に対する抵抗の度合いが異なり、胸部を十分に圧迫するのに異なるレベルの力を要求する。結果として、人体模型に対するＣＰＲの訓練を通じて一様な正しい圧迫の深さの胸部圧迫を施すことを学ぶことは、達成するのが難しい。従って、ＣＰＲを施している間、胸部圧迫の適切な深さ、速度及び解放に関する情報を供給することにより、救助者を補助する装置が開発されてきた。このような装置は例えば、共願である米国特許出願番号12/514,474号、発明の名称"CPR Coaching Device with Reduced Sensitivity to Motion"に示されている。同様の装置は、米国特許出願番号11/764,174号、発明の名称"Cardiopulmonary Resuscitation Sensor"及び米国特許出願番号11/640,436号、発明の名称"System for Providing Feedback on Chest Compression in CPR"に見られる。開示される装置の各々は、適切な技術でユーザーを指導するために、このセンサの面上にディスプレイを備える、胸部に貼り付けるＣＰＲフィードバックセンサを示す。
【０００５】
図１は、共願である米国特許出願番号12/514,474号に示されるようなＣＰＲ指導装置１００を説明している。このＣＰＲ指導装置１００は、ＣＰＲ圧迫データを検出し、次いで胸部圧迫の深さ及び速度が適切であるかのフィードバックを供給することにより、患者にＣＰＲを施している救助者を指導するように動作可能である。
【０００６】
ＣＰＲ指導装置１００のハウジング１１８の上部１２０が図１に示される。患者の胴体を描いているイラスト１１０がＣＰＲ指導装置１００の上部１２０に含まれ、ＣＰＲ中に患者の上にあるＣＰＲ指導装置１００の適切な位置及び向きを示す。この位置において、上部１２０の反対側にある装置１００の下部は患者の胴体に触れている。ＣＰＲ指導装置は、このＣＰＲ指導装置１００のハウジング１１８の下部にある接着剤層により患者に取り付けられてもよい。ケーブル１３０は、前記ＣＰＲ指導装置により作られる生理学的及び指導情報を、このＣＰＲ指導装置１００が取り付けられる他の医療措置、例えば指導命令宣言器又は除細動器に結合するのに使用される。
【０００７】
ＣＰＲ指導装置は、前記上部の面上に置かれるディスプレイを用いて又はケーブル１３０によりＣＰＲ指導装置に接続される外部装置を介してユーザーにフィードバックを与える。
【０００８】
図２に示されるように、ＣＰＲ指導装置１００が患者２１０の胸骨上に位置決められる場合、救助者２２０は、一方の手をもう一方の手の上に置いて２本の手を用いて従来の方法で胸部圧迫を加える。しかしながら、患者２１０の上に直接手を置く代わりに、救助者の手はＣＰＲ指導装置１００の上に置かれ、ＣＰＲ指導装置１００を介して患者２１０に胸部圧迫が加えられる。従来のＣＰＲプロトコルの規定通りに救助者２２０により胸部圧迫が施される。ＣＰＲ指導装置１００は、加速度計を用いて各圧迫の深さを、及び力センサを用いて各圧迫の力を測定し、前記装置の面上にあるディスプレイを通じて視覚的なフィードバックを供給する。
【発明の概要】
【発明が解決しようとする課題】
【０００９】
しかしながら、図２の診察から分かるように、ある問題が生じている。使用中、ＣＰＲ指導装置の面上に表示されるフィードバックが救助者の手により簡単に覆い隠されてしまう。加えて、救助者の位置が表示している向きと一致しない向きにあるとき、この表示されるフィードバックを読むのは難しい。
【００１０】
この問題は、このディスプレイを離して設けても解決されない。胸部圧迫の間、救助者の注意は、自分の手及び技術に適切に向けられる。ＣＰＲの中心から離れて置かれるＡＥＤ又は他のディスプレイを見ることを救助者に要求することにより、この救助者は気が散ったり又は不便な観測角度により救助者の技術に悪影響を及ぼしたりする。従って、必要とされるものは、作用点に視覚的情報を与えるＣＰＲ補助装置のためのディスプレイであり、このディスプレイは、救助者の手により覆い隠されず、ディスプレイに対する救助者の位置の影響を受けない。
【課題を解決するための手段】
【００１１】
本発明は、救助者の手があること又はＣＰＲ補助装置に対する救助者の位置の影響を受けない、加えられるＣＰＲの効果の視覚的表示を提供するＣＰＲ補助装置に向けられている。この装置は好ましくは、ＣＰＲを始める前に患者の胸部に貼り付けられるべき粘着柔軟性パッチとして構成される。
【００１２】
故に、本発明のある目的は、ＣＰＲ補助装置にこの装置の周縁部の周りに配置される視覚表示の出力を設けることである。
【００１３】
本発明の他の目的は、より簡単に使用できるＣＰＲ補助装置を提供することである。この装置は、有用な図形の指示、自動的な稼働及びＣＰＲ換気バリアとしても働く２通りの使用の剥離ライナーを備える本発明の視覚的表示を提供する。
【００１４】
本発明のさらに他の目的は、低コスト、好ましくは使い捨てのＣＰＲ補助装置に関して先に述べた利点を達成することである。このような装置は、心停止に見舞われた人の胸部に素早く配備され、後の熟練したレスキュー隊に引き渡すまで所定の位置にあり、不要な費用を負担することなく、救助が完了した後に処分される。本発明の装置は、本目的を達成するために柔軟な基板に取り付けられる低コストのＬＥＤ、検出要素及び制御回路を用いて達成されることができる。
【図面の簡単な説明】
【００１５】
【図１】ＣＰＲ指導装置の図である。
【図２】ＣＰＲ指導装置を使用している救助者を示す。
【図３】本発明の原理に従うＣＰＲ補助装置に含まれる構成要素のブロック図を示す。
【図４】本発明の原理に従うＣＰＲ補助装置の展開図を示す。
【図５ａ】本発明の原理に従う組み立てられたＣＰＲ補助装置の上面図を示す。
【図５ｂ】本発明の原理に従う組み立てられたＣＰＲ補助装置の側面図を示す。
【図６ａ】ＣＰＲ補助装置により可能である照明のパターン及び配置を示す、本発明の原理に従うＣＰＲ補助装置の上面図を示す。
【図６ｂ】ＣＰＲ補助装置により可能である照明のパターン及び配置を示す、本発明の原理に従うＣＰＲ補助装置の上面図を示す。
【図７】本発明の原理に従うＣＰＲ補助装置の剥離ライナー部の２つの実施例を示す。
【発明を実施するための形態】
【００１６】
図３は、ＣＰＲ補助装置３００の基本回路装置を示すブロック図である。加速度計３１０は、圧迫下の胸部の運動により誘発される加速度を感知する。力センサ３２０は、救助者の手により前記ＣＰＲ補助装置に加えられる力を感知する。この力センサは好ましくは、圧電センサフィルムである。
【００１７】
加速度計３１０及び力センサ３２０は、加速度信号及び力信号を制御器３３０に供給し、この制御器は、これら信号を用いてＣＰＲの胸部圧迫データ、例えば深さ、速さ及び完全放出を得る。これら信号をＣＰＲデータに変換するのに用いられる方法及びアルゴリズムは当技術分野で周知であり、ここでさらに説明はされない。制御器３３０により用いられるプロトコルが装置のフラッシュメモリ内に記憶されてもよい。
【００１８】
制御器３３０は、計算したデータを使用して、現在行っているＣＰＲ圧迫の状態を感知し、ユーザーに適切な出力表示を提供する。例えば、制御器３３０は、ＣＰＲ圧迫の所望する速度に対応する速度で点滅するように第１のライト３４０を稼働させてもよい。ＣＰＲ圧迫の所望する速度と計算した速度とが意味をもって異なる場合、制御器３３０は代わりに所望する速度で点滅するように第２の色の第２のライト３５０を稼働させてもよい。十分な圧迫が行われた場合、制御器３３０は、所望する換気の呼吸の回数及び速度を表す第３の色で点滅するように第３のライト３６０を稼働させることができる。制御器３３０は、救助者に触覚性のフィードバックを与える振動要素３７０を選択的に制御することもできる。前記ライト及び前記振動要素の各々は好ましくは前記装置３００に取り付けられている。
【００１９】
ＣＰＲ補助装置３００は、その配備を簡単にするために、自動的に稼働する特性を取り入れている。以下に詳細に説明されるように、配備センサ３８０は、前記装置の背面から剥離ライナーが分離したことを感知し、対応する入力を制御器３３０に供給する。その時まで低電力のスタンバイモードである制御器３３０は、"目覚め"、制御器の主機能を稼働させる。電源３９４は、前記構成要素の全てに電力を供給している。電源３９４は好ましくは、薄型及び軽量のバッテリー、例えばコイン電池又は薄膜電池である。
【００２０】
ＣＰＲ補助装置３００は、既知の方法、例えばBluetooth（登録商標）、Wi-Fi又は赤外線IRDAを介して近接するワイヤレス受信機にユーザー案内を供給するためのワイヤレス送信機３９０を任意に含んでもよい。従って、装置自身に表示されるような情報が携帯用ＰＤＡ、心臓モニター／除細動器又はポータブルコンピュータに同時に現れることもでき、後で分析するためにそれらに記憶が取られることもできる。
【００２１】
前記ライト３４０、３５０、３６０及び前記振動要素３７０に加え、ＣＰＲ補助装置３００は、その前面に情報ディスプレイ３９８を任意に含んでもよい。この情報ディスプレイ３９８は好ましくは、ＬＣＤパネルのグラフィックスの代わりにＬＥＤライトを使用する既知の装置のディスプレイの簡略化したバージョンである。
【００２２】
図４は、本発明のＣＰＲ補助装置４００の展開図を示す。ＣＰＲ補助装置４００は、一般的に互いに積み重ねられる５つの部分組立品の層から構成される。主要な制御回路及び構成要素は、基板４１０の上に配されている。基板４１０は好ましくは、取り付けられる構成要素がプリント基板のトレースにより接続されるフレックス回路の材料からなる。力センサ４１２及び加速度計４１４は好ましくは、基板４１０の中央付近に取り付けられ、その周りに制御器４１６、ワイヤレス送信機４２８、配備センサ４２６、振動要素４２４及びディスプレイ制御器４３４が配されている。
【００２３】
図４は、基板４１０の周縁部の周りに配される第１のライト４１８、第２のライト４２０及び第３のライト４２２のアレイも示す。これらライトは一般に基板と同一平面の照明を提供するように配される。最も好ましい配列において、各組が異なる色の第１、第２及び第３のライトからなる８組のライトが基板４１０の周縁部の周りに等間隔で置かれている。これらライトに好ましい色は、第１のライト４１８には緑色、第２のライト４２０には赤色及び第３のライト４２２には青色である。
【００２４】
視覚的出力層４３０が基板の上に配される。視覚的出力層４３０は、基板４１０上にある第１、第２及び第３のライトに対しレンズ又はライトパイプとして働く半透明又は透明な柔軟性のある高分子材料から構成される。好ましくは、視覚的出力層４３０は、前記ライト４１８、４２０、４２２からの照明を前記材料のエッジ面及び上面から拡散及び展開するように配される。それは図６ａに描かれている。さらに、その出力層の厚さ寸法は、基板４１０の上にあるライト４２８、４２０、４２２の高さよりもわずかに大きい。前記装置をさらに小さいサイズにすることを可能にするために、視覚的出力層４３０がライト４１８、４２０、４２２の各組を殆ど覆う窪みを用いて形成されてもよい。最後に、視覚的出力層４３０は、基板４１０上にある力センサ４１２が装置の上蓋４５０の下面と噛み合うような環状形状でもよい。
【００２５】
上蓋４５０は、視覚的出力層４３０及び基板４１０の上に配される。この上蓋は、救助者の手と連動する面、この面上に印刷される配置図４５４を備え、任意でディスプレイ４５２を含む。前記装置において低コストの目標は、より高価なＣＰＲ補助装置の印刷した複写を有するが、１つ以上の表示ＬＥＤであるディスプレイのライトを備えるディスプレイとなる傾向がある。
【００２６】
上蓋４５０は好ましくは、薄型及び耐久性のある印刷可能な高分子シートから構成される。このシートの中心部は、不透明にするべきであるが、このシートの周縁端は、ライト４１８、４２０、４２２からの光の伝送を可能にするために透明又は半透明でもよい。そのようなものとして、上蓋４５０は、わずかに大きな透明なシートに同心である積層される上面シートを持つ積層構造でもよい。代わりに、前記上面シートが斜めに切られ、下にある透明材料を露出させてもよい。
【００２７】
接着剤層４７０が基板４１０の下に配される。この接着剤層は、皮膚を損傷又は傷付けることなく患者の胸部に装置４００をしっかりと留めておくことができる生体適合性材料から選択される。図４は、接着剤層４７０において間隙を示し、これら間隙は、基板４１０上の配備センサ４２６と一直線に並べられる。基板４１０及び接着剤層４７０を通る導電経路は、配備センサ４２６を下にある剥離ライナー４８０に配される導電性ストリップ４８２と電気接続する。
【００２８】
剥離ライナー４８０は、装置４００が使用するために配備されるまで、接着剤層４７０にある接着剤を保護している。剥離ライナー４８０は好ましくは、接着剤側がシリコン離型剤で覆われる高分子又は紙からなる薄いシートから構成される。接着剤が乾燥の影響を受けやすい場合、剥離ライナー４８０は、外部環境から材料を密封することができる。前記シートは、剥離ライナー４８０が簡単に取り外せるように、簡単に掴めるタブを含むように形成される。
【００２９】
剥離ライナー４８０は好ましくは、前記シートの接着剤に面する側に配される導電性ストリップ４８２を含む。配備センサ４２６は、剥離ライナーが所定の位置にあるとき、前記ストリップ４８２と電気的に連結する。剥離ライナー４８０が剥がされるとき、配備センサ４２６は、回路が切れたことを感知して、制御器４１６が装置を自動的に稼働させる。
【００３０】
図５ａは、組み立てられた及び配備される前の状態のＣＰＲ補助装置４００の平面図であり、図５ｂはその側面図である。図５ｂは、５つの層、つまり上蓋４５０、視覚的出力層４３０、基板４１０、接着剤層４７０及び剥離層４８０の各々を示す。基板から剥離層の導電性ストリップまでの配備センサ４２６の電気的な連結が示される。ライト４１８、４２０、４２２及びディスプレイ４５２にある任意のＬＥＤの僅かな突出が示されている。
【００３１】
図５ｂに見られるように、組み立てられた装置は、選択した構造物の材料により極めて柔軟にすることができる薄型である。この配列は、コンパクトな保管及び簡単な持ち運びを可能にする。加えて、柔軟な装置は、患者に局所的な圧力を少ししか与えず、救助者の手と患者の胸部との間に良好なきちんとした接触を与える。全体的に実現されることは、従来のようなセンサの無いＣＰＲに近い装置において、両方の当事者にとってより快適である。
【００３２】
ここで図６ａ及び図６ｂを参照すると、ＣＰＲ補助装置４００の動作が示される。このＣＰＲ補助装置４００は、"リズムフィードバック"という考えにより制御され、これは、感知したＣＰＲの状態に依存して所与のタスク及び状況に適切であるようにパターン化したある形式のＣＰＲフィードバックと規定される。例えば、装置４００は、振動要素３７０を用いて振動することにより稼働を示し、次いでこの装置を患者に貼り付けるのに適切な時間期間、メトロノームのように緑色で点滅する第１のライト３４０に進む。第２の感知される速度の状態が所望する圧迫速度とは異なっている場合、制御器３３０は、所望する圧迫速度で第２のライト３５０からメトロノームのように赤色の点滅を始める。適切な時間の後、圧迫が全く検出されない場合、前記装置は、第１及び第２のライト３４０、３５０から赤色及び緑色の点滅を交互に発し始める。その後に適切な圧迫が検出されると、装置４００は、第１のライト３４０において緑色の点滅に戻る。
【００３３】
幾つかのＣＰＲプロトコルは、ある期間胸部を圧迫した後、人工呼吸、すなわち換気を要求する。装置４００は、上記プロトコルにおいて、適切な回数又は期間の圧迫が加えられたと制御器が判断した後、第３のライト３６０を稼働させることにより援助する。第３のライトは好ましくは青色であり、所望する換気速度及び回数で点滅する。ＣＰＲ圧迫サイクルはこのとき再開する。
【００３４】
上述した視覚的フィードバックの多くの変形例は本発明の範囲内にある。例えば、検知したＣＰＲの状態に依存して、異なるパターンの点滅するライトも適する。反復的な休止が点滅サイクル内に挿入されてもよく、例えば"点滅−点滅−休止"又は"点滅−点滅−点滅−休止"という感じを達成する。例えば"良好なＣＰＲ"の判断のような何らかの感知されるＣＰＲの状態に対し、１つ以上のライトのパターンに合わせて振動を使用することも考えられる。
【００３５】
図６ａは、ＣＰＲ補助装置４００の周辺におけるこの装置からの点滅出力６１０を示す。ディスプレイにあるＬＥＤ４５２が点滅出力６１０に合わせて任意に動作してもよい。この配列により、圧迫を行うために救助者の手が装置４００の上に置かれる場所にかかわらず、前記周辺の点滅は常に見え続ける。故に、救助者は反応することができ、救助中の如何なる時間においても自分のＣＰＲ技術を修正することができる。
【００３６】
図６ｂは、ＣＰＲ補助装置４００における代替の動作モードを示す。この実施例において、装置４００の周辺に集められ及び配されるライトは、回転する光の効果を作り出すために連続して点滅する。最初に上側の照明６２０が発生し、２番目に右側の照明６３０が発生し、次いで下側の照明６４０が発生し、左側の照明６５０が続く等である。回転する光の効果は、所望する速度、例えば所望する圧迫の速度に一致させることができる。感知した速度と所望する速度とが大きく異なる場合、この回転する光の効果の色は、各集合にある第２のライトを稼働させることにより変更することができる。加えて、異なる色の光のパターンは、特定の感知した状態を示すために前記回転に混ぜ入れることができる。ディスプレイ４５２は、この回転パターンに合わせて動作してもよい。この回転パターンの変形例は、本発明の範囲内である。
【００３７】
図７は、剥離ライナー４８０を持つ装置４００の追加の有用な実施例を示す。ある変形例において、剥離ライナー４８４は細長いスリット又は間隙を含む。このスリットは、救助中に患者の口の上に置かれる剥離ライナー４８４が換気呼吸バリアとして機能することを可能にする。適切な使用の指示がこの剥離ライナー４８４上に印刷されてもよい。他の実施例において、他の実施例において、剥離ライナー４８６はＣＰＲのステップにおいて救助者を補助するのに使用するために、前記ライナー上に印刷される図形の指示を含む。
【００３８】
上述した装置及び方法の変形例は、請求する発明の範囲内にあると考えられる。例えば、基板上にある構成要素の特定の数及び配列、又は蔵置の特定のサイズ、形状及び様相は本発明の範囲内において異なってもよい。
【図１】
2015500728.tif 000003
【図２】
2015500728.tif 000004
【図３】
2015500728.tif 000005
【図４】
2015500728.tif 000006
【図５ａ】
2015500728.tif 000007
【図５ｂ】
2015500728.tif 000008
【図６ａ】
2015500728.tif 000009
【図６ｂ】
2015500728.tif 000010
【図７】
2015500728.tif 000011
【国際調査報告】
2015500728.tif 000012
2015500728.tif 000013
2015500728.tif 000014